Podtech/llm-jp-corpus-v4-ja_patent huggingface dataset:
(57)【要約】      （修正有）【課題】地球環境保全のためにレジ袋を減産することは世界標準であるが当発明の袋付き帽子はレジ袋の減産を助ける。そこで、袋を内蔵した帽子を提供する。【解決手段】当発明の袋付き帽子はレジ袋を不買のための有効手段であり個人個人が所有する買い物袋通称マイバッグに代わる役目を果たす。言い換えれば手ぶらで買い物ができるが不要のときは帽子の裏に納まる。【選択図】図１
2020090761.tif 000002
【特許請求の範囲】
【請求項１】
袋を帽子に取り付ける。
【発明の詳細な説明】
【技術分野】
【０００１】  本発明は、収納袋を取り付けた帽子に関する。または帽子に取り付けた収納袋に関する。
【発明の概要】
【発明が解決しようとする課題】
【０００２】  物品を収納するにあたり収納袋がないとき本発明の袋付き帽子が問題を解決する。
【課題を解決するための手段】
【０００３】  本発明の袋付き帽子は買い物をするときと物品を持ち運ぶときに帽子に付けられた収納用袋を取り出して広げ物品をその中に入れる機能を持つ。袋は帽子の底にホックやマジックテープで留めて取り外しができたりするが、帽子に裏地があるときはその裏地に出入口を設けそのなかに袋を折りたたんで収容する。【０００４】  本発明は袋を内蔵した帽子である。帽子底の裏地の内側に収納袋を内蔵した帽子と袋が合体し一体化されていること。袋は物品を収納する機能をもつ。その袋が帽子の底に縫い付けてある裏地に切れ目をマチで縫い袋の出し入れ口とする。袋は裏地に取り付けてある。袋の取り付け部分は出し入れ口の内側とする。【０００５】  他面本発明は帽子に裏地がないとき帽子の底に袋がホックやマジックテープで留められていてそれを外せば袋は帽子から外れる仕組みになっている。
【発明の効果】
【０００６】本発明はレジ袋の有料化を促進する。地球環境を保全するためにレジ袋の消費をできるだけ減産する規制であるが買い物袋を持たずに買い物をしたときは有料のレジ袋を買わなければならない。この事実は本来なら不要な出費であり家計に悪影響がある。またレジ袋をゴミに出せばそれは焼却処分され地球環境に悪い結果をもたらす。買い物袋として個人が所有する通称マイバッグは手で持ち歩かなければならない。マイバッグを持ち運ぶのはおっくうでもありときには持参すること忘れることもある。本発明は買い物袋を持たないでも袋付き帽子さえかぶっていればとっさの買い物に収納袋として対応できる。また買い物に出かけるとき買い物袋をもたずとも当発明の袋付き帽子さえかぶっていれば片手がふさがらずに買い物ができる。とくに高齢者の皆さまおよび障がい者の皆様におかれましても両手が自由になる当発明は安全面でも効果がある。買い物が終れば当然それを運ぶことになるがトートバッグのような使い方で肩にかければ用が足りる。このばあい片手がふさがることもない。【０００７】  本発明は政府発表のレジ袋をなくそうとする規制に対してマイバッグの普及が望まれるがそのマイバッグを持ち運びするのが面倒な局面を当発明が解決する。帽子に一体化された買い物袋は不測の買い物時にも重宝される。この袋付き帽子をかぶっていることでレジ袋を買わないですむことで個人個人が地球環境の保全に尽力する結果となる。【０００８】  また本発明の袋付き帽子は買い物をして物品が袋内に収容されるときこの帽子は袋の側面にぶら下がった形になり周囲の目にも耐えれるほどきれいな外観で収まるのが特徴。いいかえればファッション性とお洒落な外観はもっている使用者を心情をおとしめない。袋の横に帽子が留められているようなファッションである。きれいな外観ゆえ使用者は喜んでこぞってこの袋付き帽子を愛用するでしょう。この愛用することが地球環境を救うといっても過言ではないでしょう。地球を救うという表現はけっして大げさではない証拠に毎年雨季になれば町中が洪水になり多数の犠牲者を排出するバングラデシュのダッカを例に挙げればこの毎年起きる洪水は自然災害ではなく人的災害であることは周知の事実である。住民がレジ袋を道に投棄することが唯一の原因である。またレジ袋の投棄と焼却処分は地球環境に悪果をもたらす。【０００９】  本発明が我が国ばかりではなく世界の国々に浸透すれば地球環境の悪化を防ぐことになるでしょう。愛は地球を救う。その愛には袋付き帽子も含まれることを望んで当発明の効果とします。
【図面の簡単な説明】
【００１０】
【図１】裏地のある帽子と袋の図
【図２】裏地のない帽子と袋の図
【図３】使用している図
【発明を実施するための形態】
【００１１】  図１と図２は本発明に係る実施例を示す。図面通りに製作をする。
【符号の説明】
【００１２】１  帽子裏地の袋用出し入れ口
２  帽子に付帯した袋
３  帽子裏地
４  帽子
５  脱着する袋
６  裏地のない帽子
７  使用時の図
【図１】
2020090761.tif 000003
【図２】
2020090761.tif 000004
【図３】
2020090761.tif 000005
(57)【要約】      （修正有）【課題】エステル、ナイロン糸のバンド織物１枚式シリングにおける吊り荷物の不安定、荷物の落下危険を防止できる重量物の吊り上げ用ロープ、組紐、織物バンドのスリング。【解決手段】バンド織シリング１を二本二股式のシリングの構成にして、吊り荷物の不安定課題を解消させる。更に、シリングを２重にして、棒型形態でも、開き形態でも多重荷物吊り上げが安定する双役操作可能な２重シリングの構成。更には、２重シリングの中心結び３を基に十字に開くシリングの構成。【選択図】図１
2020090759.tif 000002
【特許請求の範囲】
【請求項１】
バンド織一枚式シリングを吊り荷物不安定課題解消に二本二股式のシリングの構成。
【請求項２】
シリングを２重に図４  図８の棒型形態でも、図Ｉ図７  図示の開き形態でも多重荷物吊り上げ安定の双役操作可能な２重シリングの構成。。
【請求項３】
図４  図８  の２重シリングの中心結び３を基に図５  図９に図示の十字に開くシリングの構成。
【発明の詳細な説明】
【技術分野】
【０００１】重量物吊り上げ用ロープ  組紐  織物バンドのスリングに関する。
【背景技術】
【０００２】現在までは荷物吊り上げシリングはナイロン  エステルのマルチ糸使用のバンド織物を加工したシリングが主流ですが。
【先行技術文献】
【０００３】電子図書で調査しても発見無し。
【発明の概要】
【発明が解決しようとする課題】
【０００４】バンド織シリングは１枚式のシリングが多く荷物の接着面が狭く吊り上げ時の不安定  荷物落下防止案。
【課題を解決するための手段】
【０００５】この荷物吊り上げ時の不安定吊り荷の落下危険防止に図面１のバンド織シリング  図Ｉ、図２に図示の如く１本体を２本二股以上に構成して図１に図示の２本を二股に開き荷物を抱え込む様に荷物の接着の二股２本間隔の広い事で荷物安定  落下防止に作用、さらに図面２のロープ多々シリングの図６、図７に図示の様に５ｍｍロープ１ｍ１０本で構成で１０本のロープは左右自在動で図面１のバンド織シリングの図Ｉ図２  の吊り荷物安定度より高く破断強力も高く、図８の破断強度は全長１ｍ重さ３００ｇで３９００ｋｇ、さらに図３  図４  図８はシリング２重ですので図１図７の図示に開き吊り荷安定、この２重シリングの中心結び３、の結び紐の長さは上下のシリング移動を考良して長めに設けます、その中心結び３を基に上部シリングを下部シリングに対し十字に図５  図９の図示の十字に開き、その十字シリングの中心に荷物を乗せシリング両先端アイ輪２、を４涸のアイ輪２  を１体に接集を荷物の真上のフックに掛け吊り上げる、図示のロープ多々シリングも図面１に図示バンド織物シリングと同じ作用考案です。図面２に図示のロープ多々シリングに使用のロープ  紐の太さ本数は作業事情に適合して変更操作します。
【発明の効果】
【０００６】バンド織シリングの課題の吊り荷物不安定  落下防止の１本が２本２叉に２重に開き、荷物を抱え込む様に，図５  図９に図示の十字開きの中心に荷物載せ包み込む様に吊り上げる事を１本のシリングで２役３役の作業操作するシリングです。
【図面の簡単な説明】
【０００７】
【図１】バンド織物シリングの図示
【図２】ロープ多々シリングの図示
【発明を実施の形態】
【０００８】バンド織物シリング１枚式を二股式改良で荷物吊り上げ荷物の不安定落下防止の意を同じく図面２のロープ多々シリングも二股以上に開き荷物吊り上げ安定度が増し、図面１も図面２も図示の様に十字に中心結び３を基に開き、十字開き前の２重マイナス形スリングで多重荷物吊り上げも可能で１本のシリングで双役３役を役立てる安定シリングです。
【符号の説明】
【０００９】（Ｉ）シリング          （２）アイ輪          （３）中心結び
【図１】
2020090759.tif 000003
【図２】
2020090759.tif 000004
(57)【要約】【課題】一般的な魚群探知機の表示装置の表示形式は、水中の情報を水深軸および時間軸により図示する形式であり、表示内容の読み取り方を知らない利用者（初心者等）にとってわかりにくいものとなっている。【解決手段】魚群探知機によって取得した水中の情報を、表示装置にメールやチャット等で親しみのある会話型ユーザーインタフェースで、日本語等の言語による文章や文字列として表示することで、利用者にとってわかりやすい魚群探知機を提供する。表示内容の一例としては、「水深５ｍ付近に魚群を探知しました。」のように、魚群探知用水中センサーから取得した情報を解析した結果を文章的に編集したものとなる。  魚群探知機の操作についても、メールやチャットの会話型ユーザーインターフェースの入力方式を用いて文章や文字列で命令することが可能な魚群探知機を提供する。【選択図】図２
2020193918.tif 000002
【特許請求の範囲】
【請求項１】
魚群探知機が水中から取得した情報の表示、または魚群探知機の操作命令について、メールやチャット等で普及している会話型ユーザーインターフェースを採用する魚群探知機。
【発明の詳細な説明】
【技術分野】
【０００１】
本発明は、魚群探知機の情報表示方法および操作方法に関するものである。
【背景技術】
【０００２】
魚群探知機は、超音波の反射によって、水中の魚群の存在や量・種類等を分析する装置として漁業や釣り等で利用されている。
【発明の概要】
【発明が解決しようとする課題】
【０００３】
解決しようとする問題点は、一般的な魚群探知機の表示装置の表示形式は、水中の情報を水深軸および時間軸により図示する形式であり、表示内容の読み取り方を知らない利用者（初心者等）にとってわかりにくいものとなっていることである。
【課題を解決するための手段】
【０００４】
本発明は、魚群探知機から取得した水中の情報を文章や文字列に変換して、メールやチャット等、広く一般に普及している会話型ユーザーインターフェースを用いて、表示装置に表示することを最も主要な特徴とする。
【発明の効果】
【０００５】
魚群探知機が水中から取得した情報を、従来の図示による表示ではなく、会話型ユーザーインターフェースを用いて、日本語等の言語による文字や文章として表示することで、魚群探知機に関する知識のない初心者等の利用者でもわかりやすくて利用しやすい魚群探知機を提供する。
【０００６】
魚群探知機の操作についても、会話型ユーザーインターフェースの入力形式を用いて、日本語等の言語による文字や文章による命令を実現することで、利用者にとって扱いやすい魚群探知機を提供する。
【図面の簡単な説明】
【０００７】
【図１】図１は魚群探知機のシステム構成を示した説明図である。
【図２】図２は魚群探知機の表示画面を示した説明図である。
【発明を実施するための形態】
【０００８】
魚群探知機に関する知識のない利用者にとってわかりやすいユーザーインターフェースを持つ魚群探知機を提供するという目的を、下記システム構成により実現する。
(1)魚群探知用水中センサー（超音波振動子およびデータ送受信装置）
(2)表示装置（主にスマートフォンやタブレット等の汎用情報通信機器を使用する。情報表示にあたり、当魚群探知機用独自アプリケーションをインストールして使用する。メールやチャットやSNSなど会話型ユーザーインターフェースを持つ汎用アプリケーションを利用することもある）
(3)魚群探知用水中センサーと表示装置を、無線または有線にて接続してデータの送受信を行う
【実施例１】
【０００９】
図１は、本発明装置のシステム構成であり、１は表示装置であり、２は魚群探知用水中センサーである。表示装置と魚群探知用水中センサーは、無線または有線にて接続されてデータの送受信を行うものとする。
表示装置は汎用情報通信機器（スマートフォンやタブレット等）を利用できるものとする。
魚群探知用水中センサーから取得されたデータは、表示装置に実装された独自アプリケーションによって文字または文章に変換および表示処理されるものとする。
【００１０】
図２は、画面表示例であり、６表示画面は会話型ユーザーインターフェースを持つアプリケーションにて魚群探知機の情報を文章や文字列として表示する。
実施例として、魚群探知用水中センサーから取得したデータを文字または文章として言語化した情報は、７吹き出し(1)として表示される。
利用者による操作は、８文字入力欄に入力するものとする。ただし、入力は、文字入力をはじめとして、音声入力やメニュー選択方式による入力等にも対応するものとする。入力された文字、すなわち操作命令は、９吹き出し(2)のように画面表示に反映されるものとする。
操作命令に対する魚群探知機システムからの応答は、１０吹き出し(3)のように画面表示されるものとする。
魚群探知機システムからの通知およびユーザーからの操作命令は上記の繰り返しのように履歴表示されて、通知および操作命令の量が画面表示領域を超える場合、適宜スクロールして表示調整するものとする。
【００１１】
図２の７吹き出し(1)の通知内容の一例としては、「水深５ｍ付近に魚群を探知しました。」のように、魚群探知用水中センサーから取得した情報を解析した結果を文章的に編集したものとなる。
【図１】
2020193918.tif 000003
【図２】
2020193918.tif 000004
(57)【要約】【課題】液体の漏れを防ぐ簡易袋を提供する【解決手段】複数の袋１、２を接着した複数層構造にすることで、結露又は液体の漏れを防ぐ事ができる【選択図】図１
2020193039.tif 000002
【特許請求の範囲】
【請求項１】
類似した袋を重なり合わせ接着し、複数層構造にさせた液体の漏れを防ぐ袋
【請求項２】
袋は底面が四角形又は円状、楕円状の形状を持つ請求項１記載の袋
【請求項３】
袋の開閉構造は直接手締めによる結束、凸凹ロック形式、ファスナー式を用いた請求項１記載の袋
【発明の詳細な説明】
【技術分野】
【０００１】本発明は、液体の漏れを防ぐ簡易袋に関する
【背景技術】
【０００２】従来の化学繊維を用いた袋は、消費生活を営む上で様々な用途に用いられてきた
【発明の概要】
【発明が解決しようとする課題】
【０００３】しかしながら、液体又は水分を含む物を入れる際、水漏れが起こり、袋に入れまたそれ自体を別の袋で入れる事で水漏れを防いでいた
【発明を解決するための手段】
【０００４】本発明は、以上のような従来の欠点に鑑み、当初から複数層構造に接着する事により、上記課題を解決するものである
【発明の効果】
【０００５】上述に示したように液体漏れを防ぐ事で、一例効果として今日のゴミ指定袋は、全国各市町村において定められた形状になっているが、ゴミ収集所に汚物の液体が漏れ出る事で、衛生上において悪臭や小動物やカラスなどの撃退を予防する事ができる
【０００６】袋の破損、穴あきなどの予防対策、耐久性に優れている
【０００７】スーパーマーケット等の食品売り場において、精肉、鮮魚、青果などの水分を含む食品の購入において、備え付けの袋が提供されているが、複数枚使用され店舗側としてのコストを下げる目的としても大いに効果が出せる
【０００８】必要なところに改善をいれ、不必要な面を省くことで、一例として洗浄する事で複数回使用できるため、環境面においてエコ活動としての効果も望める
【０００９】フリーズパックなどの冷凍保存をする際にも、利便性という効果が生まれる
【００１０】雨や雪などの天候状況において、デパートなど大型施設の来場者の傘などの収納目的として、施設内の床汚れ防止策転倒防止策としての利用も可能である
【００１１】子供用高齢者用の使用済オムツなどの防臭対策としての効果も期待できる
【００１２】ペットの汚物処理の防臭効果、散歩時の汚物持ち帰り袋としても効果をあげられる
【００１３】家庭廃油の処理にも効果的で、気温の高い夏場などは、紙や布などと一緒袋に入れておくと自然発火の恐れがあり、そのような場合複数層構造の廃油に水を入れる事で可燃性を抑えられ、冬場などは、そのまま袋に入れる事で、利便性の効果が望める
【００１４】資源ごみリサイクルにより、有効に資源の再利用を図るうえで、本来のエコ活動になり、国際的な地球温暖化対策に寄与できる
【図面の簡単な説明】
【００１５】
【図１】  簡易袋の構成図である
【図２】  簡易袋の展開図である
【図３】  簡易袋円柱型の実施例図
【図４】  簡易袋角柱型の実施例図
【図５】  簡易袋凸凹溝接着ロック型の実施例図
【図６】  簡易袋凸凹溝接着ロック型の実施例の展開図
【図７】  簡易袋ファスナー型の実施例図
【図８】  傘用簡易袋の実施例図
【発明を実止するための形態】
【実施例】
【００１６】本発明の簡易袋について、図面に基づいて説明する。図１、図２に示すように外側袋１と内側袋２を熱による接着加工に製造できる為、素材は化学繊維を使用する事で、低コスト又は大量生産できる【００１７】図３、図４は、底面の形状を円型、四角型、楕円型にする事で、様々な物を入れる際に、袋自体の転倒防止を生ませる形状となる【００１８】図５は、開口部に凸凹接着ロックを設け、液体の漏れを防ぎ、複数層により利便性が生まれる【００１９】図６は、図５の内側の袋を外側に出した際の展開図であり、内側袋４と外側袋５によって構成される。底面又は外周接着により、複数層の耐久性を持った簡易袋が提供できる【００２０】図７が示す開口部は、ファスナー５を用いた開閉簡易袋を実施例として示しており、複数層に外周底面接着による構造となっている【００２１】図８が示す傘簡易袋７は、底面又は開口部の接着により液体の漏れを防ぐ複数構造になっており、施設内の床の汚れまた転倒防止対策として利点が生まれる簡易袋となる
【符号の説明】
【００２２】１  外側袋
２  内側袋
３  凸凹溝接着ロック
４  凸凹溝接着ロック内側袋
５  凸凹溝接着ロック外側袋
６  ファスナー
７  傘用簡易袋
【図１】
2020193039.tif 000003
【図２】
2020193039.tif 000004
【図３】
2020193039.tif 000005
【図４】
2020193039.tif 000006
【図５】
2020193039.tif 000007
【図６】
2020193039.tif 000008
【図７】
2020193039.tif 000009
【図８】
2020193039.tif 000010
(57)【要約】【課題】送風機から送られてくる風に新たな進化を与える羽根。【解決手段】送風機の羽根に空洞機能１を設ける事により、送風機から送られてくる風は、新たな風をつくりだす。その風は大気を微粒子状に変化させ、前述で求めた進化を成し遂げる風となり、一つの追及問題解決に役立つ。【選択図】図１
2020193574.tif 000002
【特許請求の範囲】
【請求項１】
送風機の羽根に、空洞機能１を設け、清流の清き流れを想いださせる優しい風。懐かしき心を備えた羽根。
【発明の詳細な説明】
【技術分野】
【０００１】
本発明は、送風機の羽根に空洞機能1を設けた、送風機の羽根に関するものである。
【背景技術】
【０００２】
送風機より、送られてくる風に追及した。  
【発明の概要】
【発明が解決しようとする課題】
【０００３】
送風機で、送られてくる風に新たな進化を求め、前述での難問解決しようとするものである。
【課題を解決するための手段】
【０００４】
送風機の羽根に空洞機能１を設ける事により、繊細な風を送る事が出来、前述での難問を解決できる。
【図面の簡単な説明】
【０００５】
【図１】本発明である清流の羽根を示す正面図である。
【図１】
2020193574.tif 000003
(57)【要約】      （修正有）【課題】近年凶悪化する不法侵入者に対し、居室の要塞化によって居住者の生命、財産を守ろうとするものであり、家屋の開口部の破壊があったとしても、その内側に格子防具を設置することにより、不法侵入を防止できる家屋開口部格子防具を提供する。【解決手段】居住者が居室に入る場合は、格子防具１は開の状態でドア４は閉の状態である。この状態からドア４を開とし入居後ドア４を閉とする。その後格子防具１を閉として可動施錠装置３を破線位置から時計方向に回転させ、格子防具１のアーム突き出し部を可動施錠装置先端部の穴８に挿入する事により蝶番２と相まって施錠完了となり、居室の要塞化が完成する。【選択図】図３
2020193550.tif 000002
【特許請求の範囲】
【請求項１】
家屋または居室の開口部（ドア、窓、掃きだし窓）内側に設置される防犯用格子防具。
【発明の詳細な説明】
【技術分野】
【０００１】本発明は家屋開口部（ドア、窓、掃き出し窓）の脆弱性を是正し、不法侵入者から居住者の安全を確保しようとするものである。
【背景技術】
【０００２】従来家屋への不法侵入は開口部のカギ破壊、ガラス割り、ドアの打ち破りがあった、この発明は従来家屋の開口部の破壊があったとしても、その内側に格子防具を設置することにより、不法侵入を防止しようとするものである。
【発明の概要】
【０００３】第一図は格子防具の正面図である、第二図は格子防具の右側面図である、この発明おいては、居室うち開きドアの開口部内側に取り付ける格子防具を代表例として説明する。
図示の通り棒状材縦四本、横四本をドアの大きさに切りそろえ交差部を接着する、横棒内側の二本については左側に蝶番を取り付け、後述するドアケーシング（第三図▲６▼）に取り付ける。
また横棒内側の二本の右側はドアサイズよりも延長し、アームとして後述する別途壁取り付けの可動施錠装置二組（第一図▲３▼）と組み合わせ施錠する。
この可動施錠装置▲３▼には下方に施錠用穴▲８▼が開けられており前記横棒二本のアームを挿入して施錠完了となる。
第一図▲３▼はこの発明による可動施錠装置で上方支点を中心に半回転できる構造になっており、第一図▲３▼は施錠状態を図示している、反時計方向に回転させれば破線位置で開錠となる。
第三図はドアケーシング▲６▼、及びドア▲４▼の居室側に本発明による格子防具▲１▼を取り付けた図である、図示の通りドアケーシング▲６▼に本発明による格子防具▲１▼の蝶番▲２▼を二か所に取り付ける、これにより格子防具は蝶番の作動する範囲において半円状に開くことができる。
実際の運用は第三図の状態で居住者が居室に存在している状態を示す、居住者が外部に出る場合は、可動施錠装置▲３▼二個を反時計方向に回転させ、破線の位置まで移動すれば開錠となる、続いて格子防具を手前側に引くと格子防具は蝶番▲２▼に制御されて半円状に開く、続いてドア▲４▼のノブ▲７▼を手前に引くとドア▲４▼はドアの蝶番▲５▼に制御されてドアが開となり居室の外に出ることが可能となる。
居住者が居室に入る場合は、格子防具▲１▼は開の状態でドア▲４▼は閉の状態である、この状態からドア▲４▼を開とし入居後ドア▲４▼を閉とする、その後格子防具▲１▼を閉として可動施錠装置▲３▼を破線位置から時計方向に回転させ、格子防具▲１▼のアームを先方の穴▲８▼に挿入する事により蝶番▲２▼相まって施錠完了となり、居室の要塞化が完成する。
【課題を解決するための手段】
【０００４】横棒二本のアームがあり、スイングするため居室の有効面積が減少する。
美観上よくない。
【発明の効果】
【０００５】不法侵入の減少。社会の安全性増大。
【発明を実施するための最良の方法】
【０００６】広く社会に告知し周知しる。
【図面の簡単な説明】
【０００７】第一図、正面図、この発明による格子防具▲１▼である、縦四本横四本の棒状材をドアのサイズに切りそろえ交差点を接着する、横棒のうち中二本の左側には蝶番▲２▼を取り付け、後述する第三図のドアケーシング▲６▼に取り付ける。
またこの横棒材の中二本の右側はドアサイズより延長しアームとして別途壁取り付けの可動施錠装置▲３▼と組み合わせ居室の要塞化を図る。
可動施錠装置▲３▼には下方にアームを挿入するための穴▲８▼が開けられている。
第二図、右側面図、この発明による格子防具の右側面図である。
第三図、正面図、この発明による格子防具を居室うち開きドアの居室側に取り付けた正面図である、▲１▼は格子防具、▲２▼は格子防具の蝶番でドアケーシング▲６▼に取り付けられている、▲４▼はドア、▲５▼はドア用蝶番、▲７▼はドアノブである、▲３▼はこの発明による可動施錠装置で壁に設置し格子防具のアームを穴▲８▼に挿入して居室の要塞化が完了する。この時点で固定個所は左側蝶番▲２▼二か所、右側は可動施錠装置二か所計四か所である。
第四図、右側面図、居室うち開きドアの居室側にこの発明による格子防具を取り付けた右側面図である、▲１▼は格子防具▲２▼は格子防具用蝶番、▲４▼はドア▲６▼はドアケーシング▲７▼はドアノブである。
第五図、右側面図、この発明による壁取り付けの可動施錠装置▲３▼の右側面図である、上方を支点として時計方向で施錠、反時計方向で開錠となる、なお横棒アームを挿入するために下方に穴▲８▼を有する。
【符号の説明】
【０００８】▲１▼  この発明による格子防具、
▲２▼  上記格子防具用蝶番、
▲３▼  可動施錠装置、
▲４▼  内開きドア、
▲５▼  うち開きドア用蝶番、
▲６▼  ドアケーシング、
▲７▼  ドアノブ、
▲８▼  可動施錠装置のアーム挿入口、
▲９▼  壁、
【図１】
2020193550.tif 000003
【図２】
2020193550.tif 000004
【図３】
2020193550.tif 000005
【図４】
2020193550.tif 000006
【図５】
2020193550.tif 000007
(57)【要約】【課題】  竿石と当該竿石を置く台座によって構成する墓本体の前に設けられた、故人名や没年月日等の情報を記載する表示板を見やすい位置に設置した墓を提供する。【解決手段】表示板３を着脱可能に保持する枠状の支持体４を墓本体の最も上方に位置する竿石１の前面に接合して設置し、表示板３を取付ける。【選択図】図１
2020193548.tif 000002
【特許請求の範囲】
【請求項１】
竿石と当該竿石を置く台座によって構成する石製の墓本体と、当該墓本体の前に設けられ、故人名や没年月日等の情報を記載する石製の表示板を備えた墓において、故人別に区別され並列する複数枚の表示板を着脱可能に保持する枠状の支持体を竿石の前面に接合して設置し、表示板を取付けしたことを特徴とする墓。
【請求項２】
上記表示板を着脱可能に保持するために、上記枠状の支持体の天板及び底板に、表示板を上下にはめ込むための溝を形成したことを特徴とする請求項１記載の墓。
【請求項３】
上記天板及び底板の溝の幅を、上記表示板が複数枚重ね合わせてはめ込みできる寸法に形成したことを特徴とする請求項２記載の墓。
【発明の詳細な説明】
【技術分野】
【０００１】  本発明は、竿石と当該竿石を置く台座によって構成する墓本体の前に設けられた故人名や没年月日等の情報を記載する表示板を備えた墓に関するものである。
【背景技術】
【０００２】  従来、この種の墓としては、例えば実開昭４８−８６００号公報（特許文献１）に掲載されたものが知られている。これは図２に示すように、故人名や没年月日等の情報を記載した表示板３を、竿石１と当該竿石を置く台座２によって構成する墓本体の台座２の前方に設置するものである。
【先行技術文献】
【特許文献】
【０００３】
【特許文献１】実開昭４８−８６００号公報
【発明の概要】
【発明が解決しようとする課題】
【０００４】  ところで、上記した従来の墓においては、前記表示板が墓本体の下方に位置する前記台座の前方に設置されるので、墓本体の前に、供物をあげるための経机や花立などが置かれた場合、表示板がかくれたり、見えづらくなる。又、表示板をできるだけ上方に設置しようとすると台座が過大になり、竿石とのバランスが崩れ、違和感のあるデザインになってしまう。
本発明は上記の問題点に鑑みて為されたもので、表示板を見やすいように墓本体の上方に設置するとともに、デザイン的に違和感のない墓を提供することを目的にしたものである。
【課題を解決するための手段】
【０００５】  このような目的を達成するために、本発明の墓は、竿石と当該竿石を置く台座によって構成する石製の墓本体と、当該墓本体の前に設けられ、故人名や没年月日等の情報を記載する石製の表示板を備えた墓において、故人別に区別され並列する複数枚の表示板を着脱可能に保持する枠状の支持体を上記竿石の前面に接合して設置し、表示板を取付ける構成にしている。【０００６】  これにより、表示板が墓本体の最も上方に位置する竿石の前面に設置されるので、墓本体の前に経机や花立などが置かれても表示板が見えづらくなることはなく、又、台座を高くしたりする必要もないのでデザイン的に違和感のない墓になる。【０００７】  そして、必要に応じ、上記表示板を着脱可能に保持するために上記枠状の支持体の天板及び底板に、表示板を上下にはめ込むための溝を形成する構成にしている。【０００８】  これにより、表示板が着脱できるから、故人名や没年月日等の情報の表示板への記載が容易になる。【０００９】  又、必要に応じ、上記天板及び底板の溝を、上記表示板が前後に複数枚重ね合わせてはめ込みできる寸法に形成する構成にしている。【００１０】  これにより、溝の間に、表示板を複数枚重ねて取付けできるので、より多くの故人名や没年月日等の情報が記載できる。
【発明の効果】
【００１１】  本発明によれば、前記表示板が墓本体の最も上方に位置する竿石の前面に設置されるので、墓本体の前に経机や花立などが置かれても表示板が見えづらくなることはなく、又台座を高くする必要もないので、デザイン的に違和感のない墓になる。【００１２】  そして、表示板が着脱できるから、故人名や没年月日等の情報の表示板への記載が容易になる。【００１３】  又、表示板が複数枚並列するばかりでなく、前後にも重ね合わせて取付けできるので、より多くの故人名や没年月日等の情報が記載できる。
【図面の簡単な説明】
【００１４】
【図１】本発明の実施の形態に係る墓を示す斜視図である。
【図２】従来の墓の一例を示す正面図である。
【発明を実施するための形態】
【００１５】  以下、添付図面に基づいて、本発明の実施の形態に係る墓について詳細に説明する。図１に示すように、実施の形態に係る墓は、竿石１と当該竿石を置く台座２によって構成する墓本体の竿石１の前面に、故人別に区別され並列する複数枚の表示板３を着脱可能に保持する枠状の支持体４が接合して設置され、台座２の前方には供物をあげるための経机５や花立６が置かれている。
【００１６】  そして、枠状の支持体４の天板４１及び底板４２は、表示板３の上下をはめ込むための溝４３を形成し、表示板３を着脱可能にはめ込んでいる。
【００１７】  又、溝４３は表示板３が前後に複数枚重ねてはめ込みできる寸法に形成され、表示板３１、３２を前列と後列に重ねて取付けている。
【符号の説明】
【００１８】    １    竿石
２    台座
３    表示板
４    枠状の支持体
５    経机
６    花立
３１  前列に取付けられた表示板
３２  後列に取付けられた表示板
４１  天板
４２  底板
４３  溝
【図１】
2020193548.tif 000003
【図２】
2020193548.tif 000004
(57)【要約】      （修正有）【課題】帯揚げを誰でも簡単に美しく装着できる帯枕カバーを提供する。【解決手段】帯枕カバーは、中央部に帯枕を包む収納部があり、前記収納部の両脇にゴム４がＶ字状に連結され、前記ゴムのＶ字端に紐５が連結されている。【選択図】図６
2020193424.tif 000002
【特許請求の範囲】
【請求項１】
帯枕カバーであって、前記カバーは、中央部に帯枕を包む収納部があり、前記収納部の両脇にゴムがＶ字状に連結され、前記ゴムのＶ字端に紐が連結されている帯枕カバー。
【発明の詳細な説明】
【技術分野】
【０００１】  本発明は、着物を着る時に帯揚げを楽に綺麗に装着すること、及び帯の装着することに好適な帯枕カバーに関するものである。
【背景技術】
【０００２】  従来、着物を着用する際に女性の場合、帯の形を整え固定する小道具として帯枕を使用する。帯枕は、枕部を背中に当て、帯枕と一体になったガーゼを前に廻し胸元で結び帯の中へしまうが、ガーゼは装飾性のない白ガーゼ等が使われているために、そのガーゼを含む帯枕を包み隠すために装飾性のある帯揚げを使用し、脇から胸にかけて華やかに飾るものとして用いられる。【０００３】  帯揚げは、一般的に細長い布であり、長辺中央部で背中に位置される帯枕を包み、残りの部分を両脇よりそれぞれ前にもってきて、帯枕のガーゼを隠しつつ、胸元で余分な長さと幅を綺麗に折り畳み結ぶ等して着物と帯との間に差し込み装着するが、着物を着る機会の少ない方や着付けの苦手な方などを含む使用者にとっては、帯揚げを帯枕で包んだり、帯揚げを捩らずに前にもってくることが難しく手間がかかるという問題があった。先行特許文献１では帯揚げ自体に帯枕を入れる部分を作り、それ以外の部分を細い紐状にしていることで帯揚げ装着の困難さを改良している。しかしながら、日本の伝統文化である着物の着付けに使われてきた美しい装飾品の帯揚げ自体を変えてしまっており、一般に販売されている帯揚げを使用できず汎用的でない。汗を吸う為に汚れやすいが、帯揚げ自体を洗うことは困難である。【０００４】  帯枕はガーゼと一体になっている為、帯枕の形を変えるにはガーゼごと変えなければならず、洗濯することができないため清潔に保つことが難しく、又、ガーゼは伸縮性が無いので身体への密着度・装着感が低いという問題があった。先行特許文献２では伸縮性のある布でできた帯枕カバーであるので、帯枕の形を変える、洗濯が可能で清潔に保てる、身体への密着度・装着感を高めているという点が改良されている。しかしながら、帯枕装着後に帯揚げを楽にかつ綺麗に掛ける困難さが解決されていない。
【先行技術文献】
【特許文献】
【０００５】
【特許文献１】特開２０１９−３９１１７
【特許文献２】特開昭５４−３８８６５
【発明の概要】
【発明が解決しようとする課題】
【０００６】  本発明では、日本の伝統文化である着物の着付けに使われてきた美しい装飾品である帯揚げを、誰でも簡単に楽に、かつ美しく装着できる帯枕カバーを提供することを課題とする。
【課題を解決するための手段】
【０００７】  本発明は帯枕カバーであって、前記カバーは、中央部に帯枕を包む収納部があり、前記収納部の両脇にゴムがＶ字状に連結され、前記ゴムのＶ字端に紐が連結されている帯枕カバーにより解決するものである。
【発明の効果】
【０００８】  本発明が提供する帯枕カバーは、帯枕装着前に帯枕収納部の両脇のＶ字部分に帯揚げを挟むことで、帯揚げを帯枕と一緒に装着でき、帯枕カバーをタックが見える側から見た時にＶ字の重なりが衿側に来る方を上にする（図１及び図６参照）ことで、使用時に帯揚げ先端部を外側に流すことができ（図７参照）、帯揚げの端を引くことで捩れることなく広げた状態で簡単に美しく装着できることを可能にしている。【０００９】  ゴムを利用することで身体への密着度・装着感を高め苦しさを緩和し、帯を美しく装着することが可能である。紐を細くすることで結び目を小さくでき、装着感・見た目の美しさを高めている。【０００１０】  帯枕の入替えが簡便で、洗濯ができるので清潔に保つ事も可能である。【０００１１】  収納部正面にはタックを作ることで様々な形の帯枕を収納することが可能である。
【図面の簡単な説明】
【００１２】
【図１】本発明の帯枕カバーの正面図。
【図２】本発明の帯枕カバーの背面図。
【図３】本発明の帯枕カバーの背面の収納口を開けた図。
【図４】本発明の帯枕カバーの収納部に帯枕を収納し収納口を閉じた背面図。
【図５】本発明の帯枕カバーに帯枕を収納した正面図。
【図６】本発明の帯枕カバーに帯枕を収納し後、帯揚げを掛けた状態の正面図。
【図７】帯枕カバーに帯枕を収納後、帯揚げを掛けて背中に装着した状態の図。
【発明を実施するための形態】
【００１３】  以下、図面を参照しながら本発明の実施形態を実施例によって説明する。
【実施例】
【００１４】  （１）図１は帯枕カバーの正面図である。帯枕収納部１の正面にはタック２を作る。帯枕カバーに帯枕を収納後、帯枕カバーの正面全体を帯揚げで包み、背面を背中に密着させて使用する。
（２）図２は帯枕カバーの背面図である。帯枕収納部１の背面には収納口３がある。収納部の左右にＶ字状にゴム４が連結し、ゴムが重なった部分に紐５が連結している。ゴムをＶ字状に付ける時、該ゴムのＶ字の重なりが裾側に来る方を上にする（図２は収納口３が見える側から見た図で、ゴムのＶ字の重なりが裾側が上になる）ことで、使用時に帯揚げ先端部を外側に流すことができ（図７参照）、帯揚げを捩れることなく広げた状態で簡単に美しく装着する事が可能になる。ゴムは幅広、例えば１５ｍｍ〜３５ｍｍ、好ましくは２０ｍｍ〜３０ｍｍの平ゴムを使用することが望ましい。紐は柔らかい布で平らな紐状に作成することが望ましい。
（３）図３は帯枕カバーの背面図で、帯枕収納部１の収納口３を広げた図である。収納口から帯枕６を裏返して平らな面を背中に密着するように収納する。
（４）次に図４に示すように、帯枕は収納される。帯枕を収納した帯枕カバーは、収納口３が背中側に来るように装着される。
（５）次に図５に示すように帯枕を収納した帯枕カバーはタック２が外側に来るように装着されることになる。
（６）次に図６に示すように図５のタック側に帯揚げを掛け、左右に余った部分をＶ字状ゴムの間に挟む。こうすることによって、帯枕装着後に手を後ろに回して帯揚げを掛ける手間が省け、美しく捩れることなく掛けられる。
（７）図７に示すように（６）で帯揚げをセットした帯枕カバーを身体の後ろに回し、帯の内側に入れ帯の形を作り、紐５と帯揚げ先端部８を身体の前に持ってきて十分に前に引いた上で紐を結ぶ。その時にゴムを伸ばして身体にフィットするように、又苦しくならないように締めすぎずに装着するのが望ましい。
【符号の説明】１  帯枕収納部
２  タック
３  収納口
４  Ｖ字状ゴム
５  紐
６  帯枕
７  帯揚げ
８  帯揚げ先端部
【図１】
2020193424.tif 000003
【図２】
2020193424.tif 000004
【図３】
2020193424.tif 000005
【図４】
2020193424.tif 000006
【図５】
2020193424.tif 000007
【図６】
2020193424.tif 000008
【図７】
2020193424.tif 000009
(57)【要約】【課題】炭焼加熱調理及び電気コンロ加熱調理及びＩＨコンロ加熱調理が可能となる。【解決手段】架台に乗せた壺の中に七輪又は電気コンロ又はＩＨコンロを内蔵して加熱し壺内を遠赤外線の輻射熱で低温加熱から高温加熱まで可能な調理器具。【選択図】図１
2020193794.tif 000002
【特許請求の範囲】
【請求項１】
最下部に架台を置き架台の上に蓋付き壺を置き壺の中に七輪を内蔵し炭を燃焼させ蓋付き壺内を遠赤外線の輻射熱で食材を加熱調理する、又、最下部の架台の上に電気コンロもしくはＩＨコンロを置き、その上にセラミック鍋を置き遠赤外線を発生する石をセラミックス鍋の中に入れ蓋付き壺で収納する形をとり、任意の加熱温度を設定し蓋付き壺内を遠赤外線の輻射熱で食材の適切な低温加熱調理から高温加熱調理まで可能な加熱調理器具。
【発明の詳細な説明】
【技術分野】
【０００１】    本発明は、食料品の加熱調理器に関するものである。
【発明の概要】
【発明が解決しようとする課題】
【０００２】  解決しようとする問題点は、炭を燃焼させ遠赤外線の輻射熱を利用した調理器部と電気コンロの加熱調理器とＩＨコンロの調理器更にセラミックス鍋と鍋の中に入れた石と壺の組合せで遠赤外線効果の低温調理温度から高温調理温度管理が長時間可能な調理器が無い。
本発明は炭焼加熱と電気コンロ加熱とＩＨコンロ加熱が可能な加熱調理器具で有る。
【課題を解決するための手段】
【０００３】  架台の上に壺を置き壺の中に七輪を内蔵し炭を燃焼させ壺内を遠赤外線の輻射熱で加熱する、又、壺を置く架台の上に電気コンロもしくはＩＨコンロを内蔵しその上にセラミック鍋を、置き遠赤外線を発生す、る石をセラミックス、鍋の中に入れ任意の加熱温度を設定し壺内を遠赤外線の輻射熱で加熱する低温加熱から高温加熱まで可能な調理器具。
【発明の効果】
【０００４】  本発明の加熱調理器具は炭焼加熱及び電気コンロ加熱及びＩＨコンロ加熱が使用可能な壺と架台である。
ＩＨコンロ加熱での低温加熱から電気コンロ加熱の中温加熱及び炭焼加熱での高温加熱まで壺内の輻射熱の温度管理をコントロール可能な仕様にしている。
様々な食材の適切な加熱調理温度をコントロール可能にする事で、食材の本来の栄養素と味覚を損なわず調理可能となる。
【図面の簡単な説明】
【０００５】
【図１】最下部に架台を設置し架台内部に炭焼器や電気コンロ及びＩＨコンロを内蔵しその上に鍋を置きその上から底部を空洞化した蓋付き壺を被せる。
【発明を実施するための形態】
【０００６】  壺を置く架台の中に七輪を内蔵し炭を燃焼させ蓋付き壺内を遠赤外線の輻射熱で加熱する、又、蓋付き壺を置く架台の上にＩＨコンロもしくは電気コンロを内置きその上にセラミック鍋を置き遠赤外線を発生する石をセラミックス鍋の中に入れ任意の加熱温度を設定し壺内を遠赤外線の輻射熱で加熱する。
炭の燃焼輻射熱は３００度前後の高温と電気コンロ・ＩＨコンロの加熱輻射熱は６５度から２００度程度の温度コントロールが可能となる。
【符号の説明】
【０００７】１架台
２壺
３壺蓋
４保温皿蓋
５電気コンロ・ＩＨコンロ
６七輪・鍋
【図１】
2020193794.tif 000003
(57)【要約】      （修正有）【課題】家等の温度コントロールにおけるエネルギーコスト等の改善方法を提供する。【解決手段】家の内部を冷却、加温、温度維持するため地下に設置したタンクに水を入れ、それを家の屋根に流して内部を冷却、加温、温度維持をする。【選択図】なし【特許請求の範囲】
【請求項１】
家などの物体の内部等を冷却、加温、温度維持等するため地下等に設置したタンクに水等を入れそれを家等の屋根等に流して内部等を冷却、加温、温度維持等をする。
地下５メートル程度の地温は緯度にもよるが日本本州では約１５℃前後で通年維持されているのでそこにタンクを用意して井戸水等をまず入れて電動等のポンプなどを利用したり山などの高い地点からならば水圧等を利用してパイプ等で屋根等に水を導き適度に流す。流した水は雨どい等を利用して回収して再度タンクに入れる。タンク等は内部等を仕切って戻ってきた水がある程度冷えるまでタンク内の水と混ざらないようにしておくこともできる。タンク内の敷居の高さを調整してどれぐらいたまったら隣等にオーバーフローするか調整できる。タンクを複数用意して戻ってきた水はある一定期間出ていった時とは別のタンクに収容されてそこがいっぱいになると元のタンクに流れ込むように設置してもよい。タンクの容量が大きかったり流す水の量が少ない等の場合は仕切り等は必要ないばあいもある。揚水ポンプの出力調整によって流す水の量を調節することもできる。同じように道路上に水を流すことで夏場に冷却、冬には雪を溶かしたり凍結防止等をできる。天気予報等の気温データ等を用いて流す水等の量をあらかじめプログラムしたり実際の気温に基づきながす水の量を揚水ポンプ等の出力等をコントロールする。山等の湧き水や井戸水等（湧き水源泉等、井戸水等は通年で水温が安定している）を利用している場合はタンクは必要ない場合があり流す水を調節したいときは屋根等に水を導くパイプ等にバルブ等を設けこれの口径等をコントロールできる装置をつけたり、蛇口形式でこれをコンピューター等で開閉量等を制御して水量等をコントロールする。タンクは必ずしも地下に設置する必要はないが地温を利用して温度コントロールされた水を利用すると家等の内部の温度コントロールをより少ない水量等で行え揚水ポンプ等にかかる電気代等のコストが下がる。タンクを細長く地中５メートル以上までの深さにして深い地点の容積を大きくしておいたりしてモーター等で循環させたりすると凍結防止等になる。地下と地上にタンクを設置して連結して温度条件が一番いい割合で混合させることもできる。地下の深さによって温度が違うので地下深度を変えてタンクを複数設置してパイプ等で連結混合した水等を家等の屋根等に流すことで効率性等をアップさせる。家等の屋根等に水を流す場合は水の温度と気化熱を計算したうえで効率の良い水量を流す。家等の屋根等の一番高いポイントにパイプで水を導けば引力で屋根等を水が流れ落ちる。家等の屋根部分だけでなく側面等にも水が流れるようにパイプ等で導いてもよい（例えば窓の上部分にパイプで水を導き窓の側面を水が流れるようにすること等もできる）。屋根の直径が５メートルなら屋根の部分のパイプも５メートル程度にすると屋根全面に水が流れる。パイプには穴が適切な間隔で開いており（５センチ間隔等必ずしも５センチでなくてもよい）そこから水が出るしくみ。
冬場は地下の５メートル程度の地温が１５℃程度であることを利用してそれを家等のフローリングの下、側面、天井等にパイプ等を引いて循環させ地下等のタンクに回収し再利用する。温泉の湯などを利用すればもっと高温の液体（湯）を流すことも出来る。
特許などを取得している者が他者等からその特許について訴訟等を起こされるリスクを減らすため特許取得時に請求項等にその特許に必要なプロセス全体を詳細に最初から最後まで記載し特許取得者は特許取得できればその特許に書いてあることを再現するような形で特許を使用していれば第三者から権利侵害で訴訟等を起こされる可能性や損害賠償を支払う必要が出てくるような事態が発生するリスクを最大限減らす。
特許についてすべての製造工程や材料や工法や技術工程等すべて記載する。特許を実行するときの手順や材料や工程におけるすべての現象等を文字として請求項等に記載する。
特許が認められあと６か月間はだれでも匿名でその特許に対して異議申し立て等を行う仕組みがあるがこの権利と弁理士等がその決まりで規定されている守秘義務等について弁理士も異議申し立てをすることができるのでそういう意味では一般人よりも早くから内容を知っている関係者ということになる。特許庁の当該特許に関する書類を閲覧できる人等も特許公開前から内容を知っているのでそういう人がかなり前から調査すると一方的に有利になる可能性があるので匿名での異議申し立て等をやめるように意見を関係機関に伝え規則を変更してもらう。
【発明の詳細な説明】
【技術分野】
【０００１】地球環境
【背景技術】
【０００２】
【先行技術文献】
【特許文献】
【０００３】
【特許文献１】
【非特許文献】
【０００４】
【非特許文献１】
【発明の概要】
家等の内部等の温度コントロールする方法で環境負荷を低下させる方法等。
【発明が解決しようとする課題】家等の内部等の温度コントロールの場合等のコスト等。
【発明の効果】家等の内部等の温度コントロールする場合等の生活コスト低下。
【図面の簡単な説明】
【発明を実施するための形態】
【・・・・】
【実施例】
【産業上の利用可能性】過疎地域でも自立した産業等ができる。
【符号の説明】
【・・・・】
【受託番号】
【・・・・】
【配列表フリーテキスト】
(57)【要約】      （修正有）【課題】不法侵入を企図する者の侵入意欲を喪失させ退去させる防犯装置を提供する。【解決手段】防犯設備は、家屋の開口部（玄関、窓６、掃き出し窓７）前面上部に穴を開けた配管３を敷設し、不法侵入者を現認した時は開閉バルブを開にし、水道管内にある水圧を利用し、シャワー状水滴５を散布する事により、不法侵入者の着衣を汚損し、もって不法侵入の意欲を喪失させ退去を促す。不法侵入を継続するにしても、身繕いに時間的遅延が発生するため、警察、警備会社、知人に救護を要請する時間的余裕ができる。【選択図】図２
2020173750.tif 000002
【特許請求の範囲】
【請求項１】
家屋一階の開口部（玄関、窓  掃き出し窓）前面に、シャワー状水滴を散布させ、不法侵入を企図する者の着衣を汚損させ侵入意欲を喪失させ退去させる防犯装置。
【発明の詳細な説明】
【技術分野】
【０００１】本発明は家屋内の水道配管から分岐した分岐管と開閉バルブにより、家屋の開口部（玄関、窓、）前面上部に配管を敷設し、不法侵入者を現認した場合は開閉バルブを操作して、不法侵入者の着衣を汚損し、不法侵入の意欲を喪失させ退去を期待できる防犯装置である。
【背景技術】
【０００２】従来防犯対策としては施錠、雨戸のような消極的防犯装置しかなかった。
この発明は不法侵入を企図する者に対して、水滴散布という攻撃性を加え不法侵入意欲を喪失させ退去させる発明である。
【発明の概要】
【０００３】本発明は家屋開口部（玄関、窓）から不法侵入を企図する者に対して、開口部前面上方より、水滴散布により不法侵入者の着衣を汚損し、侵入意欲を喪失させ退去を促すものである。
第一図は家屋一階の平面図である、深夜帯において最も在室率の高い寝室に、水道管から分岐した分岐管▲１▼と開閉バルブ▲２▼を設置する、この開閉バルブ▲２▼に配管▲３▼を接続し屋外軒下に配管を設置する、
第二図は代表例として本家屋の南面正面図を図示している、▲３▼は配管、▲６▼は開口部窓、▲７▼は開口部掃き出し窓、▲５▼は水滴散布の水滴を表す、
第三図は屋外軒下設置開口部の配管正面図である、説明のため一部分を拡大して図示してある、配管には穴をあけてありこの穴から水滴散布する。
第四図は屋外軒下設置の非開口部（壁）の配管の正面図である、説明のため一部分を拡大して図示してある。
不法侵入者を現認した場合は第一図の開閉バルブ▲２▼を開として、開口部（窓、掃き出し窓、玄関）の前面に水滴を散布し、不法侵入者の着衣を汚損しもって侵入意欲を喪失させ撤退をさせるものである。
【課題を解決するための手段】
【０００４】水道元栓の厳重管理、施錠
【発明の効果】
【０００５】この発明により家屋への不法侵入が減少する。
【発明を実施するための最良の形態】
【０００６】広く社会に告知する。
【図面の簡単な説明】
【０００７】
【図１】  平面図  家屋一階の平面図である、水道管から分岐した分岐管▲１▼と開閉バルブ▲２▼設置している、この開閉バルブから配管▲３▼を屋外軒下に敷設する。
【図２】  正面図  本家屋南側正面図を代表例として図示している、配管▲３▼を軒下に敷設している、▲５▼はシャワー状に散布される水滴である、▲６▼は開口部窓、▲７▼は開口部掃き出し窓である。
【図３】  平面図  開口部（玄関  窓  掃き出し窓）上部に敷設された配管の平面図である、▲３▼は配管である、▲４▼は水滴散布のための穴である、一部を拡大して図示している。
【図４】  平面図  非開口部（壁）上部に敷設された配管の平面図である、一部を拡大して図示している。▲３▼は配管である。
【符号の説明】
【０００８】▲１▼  水道管から分岐した分岐管
▲２▼  開閉バルブ
▲３▼  屋外軒下配管
▲４▼  水滴散布用穴
▲５▼  水滴
▲６▼  開口部窓
▲７▼  開口部掃き出し窓
【図１】
2020173750.tif 000003
【図２】
2020173750.tif 000004
【図３】
2020173750.tif 000005
【図４】
2020173750.tif 000006